【手続補正書】
【提出日】平成27年6月1日(2015.6.1)
【手続補正１】
【補正対象書類名】特許請求の範囲
【補正対象項目名】全文
【補正方法】変更
【補正の内容】
【特許請求の範囲】
【請求項１】
シートの表裏を反転させるための第１の反転機構を含むシート搬送パスを備え、前記シート搬送パスを介してシートを循環させることによって両面印刷を実行可能な印刷装置であって、
シートに画像を印刷する印刷手段と、
片面印刷が指定されたページと両面印刷が指定されたページを含む印刷ジョブの実行が指示された場合において、シートの表裏を反転させるための第２の反転機構を備えた後処理装置が前記印刷装置に接続されていれば、片面印刷が指定されたページの画像が印刷されたシートを前記第１の反転機構で反転させることなく前記印刷装置から排出し、前記後処理装置が前記印刷装置に接続されていなければ、片面印刷が指定されたページの画像が印刷されたシートを前記第１の反転機構で反転させた後に前記印刷装置から排出するようシート搬送を制御する制御手段と、
を備えることを特徴とする印刷装置。
【請求項２】
シートの表裏を反転させるための第１の反転機構を含むシート搬送パスを備え、前記シート搬送パスを介してシートを循環させることによって両面印刷を実行可能な印刷装置であって、
シートに画像を印刷する印刷手段と、
片面印刷が指定されたページと両面印刷が指定されたページを含む印刷ジョブの実行が指示された場合において、シートの表裏を反転させるための反転機構であって前記第１の反転機構と異なる第２の反転機構が利用可能であれば、片面印刷が指定されたページの画像が印刷されたシートを前記第１の反転機構で反転させることなく前記印刷装置から排出し、前記第２の反転機構が利用可能でなければ、片面印刷が指定されたページの画像が印刷されたシートを前記第１の反転機構で反転させた後に前記印刷装置から排出するようシート搬送を制御する制御手段と、
を備えることを特徴とする印刷装置。
【請求項３】
前記制御手段は、片面印刷が指定されたページの画像が印刷されたシートを前記第１の反転機構で反転させた後に前記印刷装置から排出する場合は、当該シートの、前記シート搬送パスを介した循環は行わないことを特徴とする請求項１または２に記載の印刷装置。
【請求項４】
前記制御手段は、片面印刷が指定されたページの画像が印刷されたシートを前記第１の反転機構で反転させることなく前記印刷装置から排出する場合は、当該シートの表裏を反転させるよう前記第２の反転機構を制御することを特徴とする請求項１乃至３のいずれか１項に記載の印刷装置。
【請求項５】
前記第１の反転機構は、搬送ローラを逆回転させることによるスイッチバック動作を用いてシートの表裏を反転させることを特徴とする請求項１乃至４のいずれか１項に記載の印刷装置。
【請求項６】
前記第１の反転機構は、前記シート搬送パスを介して循環されるシートの表裏を反転させることを特徴とする請求項１乃至５のいずれか１項に記載の印刷装置。
【請求項７】
前記制御手段は、前記印刷ジョブに含まれるＮページ目に片面印刷が指定され、Ｎ＋１ページ目に両面印刷が指定されている場合に、前記Ｎページ目の画像の印刷よりも前に前記Ｎ＋１ページ目の画像が印刷されるシートの第１面への印刷を行い、前記Ｎページ目の画像の印刷よりも後に前記Ｎ＋１ページ目の画像が印刷されるシートの第２面への印刷を行うよう前記印刷手段を制御することを特徴とする請求項１乃至６のいずれか１項に記載の印刷装置。
【請求項８】
シートの表裏を反転させるための第１の反転機構を含むシート搬送パスを備え、前記シート搬送パスを介してシートを循環させることによって両面印刷を実行可能な印刷装置の制御方法であって、
シートに画像を印刷する印刷工程と、
片面印刷が指定されたページと両面印刷が指定されたページを含む印刷ジョブの実行が指示された場合において、シートの表裏を反転させるための第２の反転機構を備えた後処理装置が前記印刷装置に接続されていれば、片面印刷が指定されたページの画像が印刷されたシートを前記第１の反転機構で反転させることなく前記印刷装置から排出し、前記後処理装置が前記印刷装置に接続されていなければ、片面印刷が指定されたページの画像が印刷されたシートを前記第１の反転機構で反転させた後に前記印刷装置から排出するようシート搬送を制御する制御工程と、
を有することを特徴とする印刷装置の制御方法。
【請求項９】
シートの表裏を反転させるための第１の反転機構を含むシート搬送パスを備え、前記シート搬送パスを介してシートを循環させることによって両面印刷を実行可能な印刷装置の制御方法であって、
シートに画像を印刷する印刷工程と、
片面印刷が指定されたページと両面印刷が指定されたページを含む印刷ジョブの実行が指示された場合において、シートの表裏を反転させるための反転機構であって前記第１の反転機構と異なる第２の反転機構が利用可能であれば、片面印刷が指定されたページの画像が印刷されたシートを前記第１の反転機構で反転させることなく前記印刷装置から排出し、前記第２の反転機構が利用可能でなければ、片面印刷が指定されたページの画像が印刷されたシートを前記第１の反転機構で反転させた後に前記印刷装置から排出するようシート搬送を制御する制御工程と、
を有することを特徴とする印刷装置の制御方法。
【請求項１０】
請求項８または９に記載の印刷装置の制御方法の各工程をコンピュータに実行させるためのプログラム。
【手続補正２】
【補正対象書類名】明細書
【補正対象項目名】発明の名称
【補正方法】変更
【補正の内容】
【発明の名称】印刷装置、印刷装置の制御方法、及びプログラム
【手続補正３】
【補正対象書類名】明細書
【補正対象項目名】０００１
【補正方法】変更
【補正の内容】
【０００１】
本発明は、反転機構を含むシート搬送パスを備え、両面印刷を実行可能な印刷装置、印刷装置の制御方法、及びプログラムに関する。
【手続補正４】
【補正対象書類名】明細書
【補正対象項目名】０００６
【補正方法】変更
【補正の内容】
【０００６】
本発明の目的は、このような従来の問題点を解決することにある。本発明は、上記の点に鑑み、片面印刷が指定されたページと両面印刷が指定されたページが混在する場合の印刷効率を向上させる印刷装置、印刷装置の制御方法、及びプログラムを提供することを目的とする。
【手続補正５】
【補正対象書類名】明細書
【補正対象項目名】０００７
【補正方法】変更
【補正の内容】
【０００７】
上記課題を解決するため、本発明に係る印刷装置は、シートの表裏を反転させるための第１の反転機構を含むシート搬送パスを備え、前記シート搬送パスを介してシートを循環させることによって両面印刷を実行可能な印刷装置であって、シートに画像を印刷する印刷手段と、片面印刷が指定されたページと両面印刷が指定されたページを含む印刷ジョブの実行が指示された場合において、シートの表裏を反転させるための第２の反転機構を備えた後処理装置が前記印刷装置に接続されていれば、片面印刷が指定されたページの画像が印刷されたシートを前記第１の反転機構で反転させることなく前記印刷装置から排出し、前記後処理装置が前記印刷装置に接続されていなければ、片面印刷が指定されたページの画像が印刷されたシートを前記第１の反転機構で反転させた後に前記印刷装置から排出するようシート搬送を制御する制御手段と、を備えることを特徴とする。
また、本発明に係る印刷装置は、シートの表裏を反転させるための第１の反転機構を含むシート搬送パスを備え、前記シート搬送パスを介してシートを循環させることによって両面印刷を実行可能な印刷装置であって、シートに画像を印刷する印刷手段と、片面印刷が指定されたページと両面印刷が指定されたページを含む印刷ジョブの実行が指示された場合において、シートの表裏を反転させるための反転機構であって前記第１の反転機構と異なる第２の反転機構が利用可能であれば、片面印刷が指定されたページの画像が印刷されたシートを前記第１の反転機構で反転させることなく前記印刷装置から排出し、前記第２の反転機構が利用可能でなければ、片面印刷が指定されたページの画像が印刷されたシートを前記第１の反転機構で反転させた後に前記印刷装置から排出するようシート搬送を制御する制御手段と、を備えることを特徴とする。
【手続補正６】
【補正対象書類名】明細書
【補正対象項目名】０００８
【補正方法】変更
【補正の内容】
【０００８】
本発明によれば、片面印刷が指定されたページと両面印刷が指定されたページが混在する場合の印刷効率を向上させることができる。